(57)【要約】【課題】ボンベなどの柱状部材に印刷するときの画像品質を向上する。【解決手段】ボンベ２を載置する載置台１１と、ボンベ２の周面に対して液体を吐出する液体吐出手段であるヘッド３００を含む吐出ユニット１３と、吐出ユニット１３を搭載したキャリッジ１４とを備え、ヘッド３００を搭載するキャリッジ１４は、載置台１１に載置されるボンベ２の高さ方向に沿う第１方向（Ｙ方向）と、ボンベ２の軸心と直交する第２方向（Ｘ方向）に往復移動可能に配置されている。【選択図】図１
2020168785.tif 000002
【特許請求の範囲】
【請求項１】
柱状部材を載置する載置台と、
前記載置台に載置される前記柱状部材に対して液体を吐出する液体吐出手段と、を備え、
前記液体吐出手段は、前記載置台に載置される前記柱状部材の上下方向を第１方向とするとき、前記第１方向と、前記第１方向と直交する第２方向とにそれぞれ往復移動可能に配置されている
ことを特徴とする液体を吐出する装置。
【請求項２】
前記液体吐出手段は、前記載置台に対して進退する第３方向に往復移動可能に配置されている
ことを特徴とする請求項１に記載の液体を吐出する装置。
【請求項３】
前記液体吐出手段を搭載したキャリッジを備え、
前記キャリッジは前記第１方向及び前記第２方向に移動可能である
ことを特徴とする請求項１又は２に記載の液体を吐出する装置。
【請求項４】
前記載置台に載置される前記柱状部材の上部を固定する固定手段を備えている
ことを特徴とする請求項１ないし３のいずれかに記載の液体を吐出する装置。
【請求項５】
前記載置台は回転可能である
ことを特徴とする請求項１ないし４のいずれかに記載の液体を吐出する装置。
【請求項６】
前記液体吐出手段を前記第１方向に移動しながら前記液体を吐出させる
ことを特徴とする請求項１ないし５のいずれかに記載の液体を吐出する装置。
【請求項７】
前記液体吐出手段を所定の一方向に移動するとき前記液体吐出手段から前記液体を吐出させる
ことを特徴とする請求項１ないし６のいずれかに記載の液体を吐出する装置。
【請求項８】
前記液体吐出手段を前記所定の一方向と反対の方向に移動するときには前記液体吐出手段から前記液体を吐出させない
ことを特徴とする請求項７に記載の液体を吐出する装置。
【請求項９】
前記柱状部材は側面に弧状の形状を有し、
前記第２方向は、前記第１方向と直交する面内で、前記弧状の形状の接線に平行な方向である
ことを特徴とする請求項１ないし８のいずれかに記載の液体を吐出する装置。
【請求項１０】
前記液体吐出手段は、液体吐出ヘッドを備え、
該液体吐出ヘッドは、ノズルと、前記ノズルを開閉する弁体と、電圧の印加に応じて伸縮する圧電素子と、該圧電素子と前記弁体との間に配置され、前記弁体を前記ノズルに対して進退させる弁体移動手段と、を備えている
ることを特徴とする請求項１ないし９のいずれかに記載の液体を吐出する装置。
【請求項１１】
前記液体吐出ヘッドは、電圧が印加されたときに、前記ノズルを開く
ことを特徴とする請求項１０に記載の液体を吐出する装置。
【請求項１２】
前記弁体移動手段は、
弾性部材で形成された変形部と、該変形部と連結されているガイド部と、を備え、
前記ガイド部が前記圧電素子の伸縮に伴って移動し、前記変形部を変形させる
ことを特徴とする請求項１０又は１１に記載の液体を吐出する装置。
【発明の詳細な説明】
【技術分野】
【０００１】
本発明は液体を吐出する装置に関する。
【背景技術】
【０００２】
液体を吐出する装置として、例えば、ボンベなどの柱状部材の周面に液体を吐出して印刷するものがある。
【０００３】
従来、例えば、柱状部材を回転させながら、インクジェットノズルからインクを吐出するものが知られている（特許文献１）。
【先行技術文献】
【特許文献】
【０００４】
【特許文献１】特開２００４−２９１４４４号公報
【発明の概要】
【発明が解決しようとする課題】
【０００５】
ところで、柱状部材を回転させながら柱状部材の周面に液体を吐出すると、柱状部材の周面の凹凸や柱状部材の回転に伴う周面のブレなどによって、柱状部材の周面と液体吐出手段との著しい距離変動が生じて、画質が劣化するという課題がある。
【０００６】
本発明は上記の課題に鑑みてなされたものであり、画像品質を向上することを目的とする。
【課題を解決するための手段】
【０００７】
上記の課題を解決するため、本発明に係る液体を吐出する装置は、
柱状部材を載置する載置台と、
前記載置台に載置される前記柱状部材に対して液体を吐出する液体吐出手段と、を備え、
前記液体吐出手段は、前記載置台に載置される前記柱状部材の上下方向を第１方向とするとき、前記第１方向と、前記第１方向と直交する第２方向とにそれぞれ往復移動可能に配置されている
構成とした。
【発明の効果】
【０００８】
本発明によれば、画像品質が向上する。
【図面の簡単な説明】
【０００９】
【図１】本発明の第１実施形態に係る液体を吐出する装置の側面説明図である。
【図２】同じく正面説明図である。
【図３】同じく平面説明図である。
【図４】同じく制御部の説明に供するブロック説明図である。
【図５】同じく印刷範囲と印刷データの関係の説明に供する説明図である。
【図６】同じくボンベの全周囲に亘って印刷を行うときの分割印刷領域の一例の説明に供する説明図である。
【図７】同制御部による印刷動作の制御の説明に供するフロー図である。
【図８】同装置によるボンベ対する印刷動作の説明に供するヘッドの軌跡の説明図である。
【図９】同実施形態における吐出ユニットの一例の斜視説明図である。
【図１０】同じく側面説明図である。
【図１１】同じくヘッド部の正面説明図である。
【図１２】同じくクリーニング機構部に対する洗浄液供給系及びクリーニング動作の制御系の説明に供する説明図である。
【図１３】同実施形態におけるヘッドの一例の説明に供する１つのノズル部分の断面説明図である。
【図１４】同ヘッドの動作説明に供する駆動電圧の一例の説明図である。
【図１５】同ヘッドに対する液体供給系の説明図である。
【図１６】本発明の第２実施形態における吐出ユニットの説明に供する斜視説明図である。
【発明を実施するための形態】
【００１０】
以下、本発明の実施の形態について添付図面を参照して説明する。本発明の第１実施形態について図１ないし図３を参照して説明する。図１は同実施形態に係る液体を吐出する装置の側面説明図、図２は同じく正面説明図、図３は同じく平面説明図である。
【００１１】
液体を吐出する装置１は、基台１０上に、印刷対象物としての柱状部材である例えばボンベ２を載置する載置台１１と、載置台１１に載置されるボンベ２を上方から固定保持する固定手段１２とを備えている。また、基台１０上には、ボンベ２の周面に対して液体を吐出する液体吐出手段であるヘッド３００を含む吐出ユニット１３と、吐出ユニット１３を搭載したキャリッジ１４とを備えている。
【００１２】
載置台１１は、基台１０に対して回転可能に設置されたターンテーブルで構成している。これにより、載置台１１に載置されたボンベ２の半分の周面に印刷した後、ボンベ２を例えば半回転（１８０°回転）して残り半分の周面に印刷することができる。なお、載置台１１は固定とし、手動でボンベ２を回転させる構成とすることもできる。また、載置台１１を回転可能とする場合でも、手動回転、あるいは、駆動手段による回転のいずれの構成であってもよい。
【００１３】
固定手段１２は、基台１０の載置台１１の側方に立てられる支柱２１に、上下動可能に保持され、旋回可能なアーム部２２と、アーム部２２に保持され、載置台１１上に載置されるボンベ２の頂部には嵌まり込むホルダ部材２３とを有している。ホルダ部材２３は、ボンベ２の上部の形状や大きさに合わせてアタッチメント方式で交換可能としている。
【００１４】
キャリッジ１４は、載置台１１に載置されるボンベ２の高さ方向に沿う第１方向（Ｙ方向）と、ボンベ２の軸心と直交する第２方向（Ｘ方向）とに往復移動可能に配置されている。本実施形態では、柱状部材は側面に弧状の形状を有するボンベ２であり、第２方向（Ｘ方向）は、第１方向（Ｙ方向）と直交する面内で、弧状の形状の接線に平行な方向となる。
【００１５】
本実施形態では、基台１０の載置台１１の側方に立てられるフレーム部材１５の支柱５１、５１間にスライダ部材１６をＹ方向に移動可能に保持し、スライダ部材１６にキャリッジ１４をＸ方向に移動可能に保持している。
【００１６】
そして、スライダ部材１６をＹ方向に上下動させる上下動機構（Ｙ方向走査機構）１７と、キャリッジ１４をＸ方向に移動させるキャリッジ移動機構（Ｘ方向走査機構）１８とを備えている。
【００１７】
上下動機構１７は、例えば、ねじ式回転移動機構７１と上下動モータ（Ｙ方向モータ）７２とを有し、ねじ式回転移動機構７１はスライダ部材１６に連結されている。この上下動機構１７のＹ方向モータ７２を回転駆動することで、ねじ式回転移動機構７１を介してスライダ部材１６がＹ方向に上下動する。
【００１８】
キャリッジ移動機構１８も、同様に、ねじ式回転移動機構と左右方向移動モータ（Ｘ方向モータ）８２とを有し、Ｘ方向モータ８２を回転駆動することで、キャリッジ１４がＸ方向に往復移動する。
【００１９】
また、フレーム部材１５の支柱５１，５１は、連結部材５２で連結され、基台１０に設けたガイド溝５３、５３に沿ってボンベ２（載置台１１）に対して進退する第３方向（Ｚ方向）にも移動可能に配置されている。
【００２０】
そして、フレーム部材１５をＺ方向に往復移動させるＺ方向移動機構１９を備えている。
【００２１】
Ｚ方向移動機構１９も、例えば、ねじ式回転移動機構９１と進退動モータ（Ｚ方向モータ）９２とを有し、ねじ式回転移動機構９１はフレーム部材１５の連結部材５２に連結されている。このＺ方向移動機構１９のＺ方向モータ９２を回転駆動することで、ねじ式回転移動機構９１を介してフレーム部材１５がＺ方向に移動し、キャリッジ１４がＺ方向に進退動する。
【００２２】
次に、この液体を吐出する装置における制御部の概要について図４に示すブロック図を参照して説明する。
【００２３】
制御部５００は、この装置１全体の制御を司るＣＰＵ５０１と、ＣＰＵ５０１に印刷動作の制御を実行させるためのプログラム、その他の固定データを格納するＲＯＭ５０２と、印刷データ等を一時格納するＲＡＭ５０３とを含む主制御部５００Ａを備えている。
【００２４】
制御部５００は、ホスト６００から印刷データ受信するときに使用するデータ及び信号の送受を行うためのＩ／Ｆ５０６を備えている。ホスト６００はパーソナルコンピュータ等の情報処理装置などで構成している。
【００２５】
制御部５００は、吐出ユニット１３を構成するヘッド３００を駆動するヘッド駆動部５０８を備えている。
【００２６】
制御部５００は、ヘッド３００を搭載しているキャリッジ１４をＹ方向に移動させるＹ方向モータ７２を駆動するモータ駆動部５１０と、キャリッジ１４をＸ方向に移動させるＸ方向モータ８２を駆動するモータ駆動部５１１を備えている。
【００２７】
制御部５００は、フレーム部材１５を介してキャリッジ１４をＺ方向に移動させるＺ方向モータ９２を駆動するモータ駆動部５１２を備えている。また、制御部５００は、載置台１１の回転を行う載置台モータ２５を駆動するモータ駆動部５１３を備えている。
【００２８】
制御部５００は、ヘッド３００をクリーニングする後述するクリーニング機構部２００を駆動制御するクリーニング制御部５１４を備えている。
【００２９】
次に、この液体を吐出する装置１によるボンベ２対する印刷動作（描画動作）について説明する。
【００３０】
まず、印刷範囲及び印刷データについて図５及び図６を参照して説明する。図５は印刷範囲と印刷データの関係の説明に供する説明図、図６はボンベ２の全周囲に亘って印刷を行うときの分割印刷領域の一例の説明に供する説明図である。
【００３１】
本実施形態では、ボンベ２を停止した状態（ここでは、固定した状態）にして、ヘッド３００を第１方向（Ｙ方向）に移動するときに液体を吐出して印刷（描画）し、第２方向（Ｘ方向）に移動するときには液体吐出を行わない。
【００３２】
ここで、停止したボンベ２に対して印刷するときには、図５に示すように、キャリッジ１４をＸ方向に移動してヘッド３００による描画位置を変更しながら印刷できる範囲Ｌは、ボンベ２の周方向の半分よりも少ない領域になる。このとき、キャリッジ１４の移動距離Ｌｘは、ボンベ２の直径Ｄよりも短くなる。
【００３３】
また、ボンベ２の直径はボンベ２によって異なり、ヘッド３００からボンベ２の周面までの距離はボンベ２によって異なり、ヘッド３００からボンベ２の周面までの距離によって飛翔する液体の着弾精度が影響を受ける。
【００３４】
そこで、ボンベ２の周囲に印刷を行うときには、周方向で複数に分割した分割印刷領域、例えば３分割した分割印刷領域Ｌａ〜Ｌｃを設定する。そして、１つの分割印刷領域の印刷が終了したときに、載置台１１を回転して、ボンベ２の次の分割印刷領域をヘッド３００に対向可能な位置にして印刷を行うようにしている。
【００３５】
なお、分割印刷領域は、同じ周方向長さである必要はなく、描画と描画との間の空白部、例えばＹ方向のいずれの位置にも描画画像等を持たない領域で区切ることが好ましい。
【００３６】
次に、制御部による印刷動作（描画動作）の制御について図７及び図８を参照して説明する。図７は同描画動作の制御の説明に供するフロー図、図８は同じく異なる印刷動作におけるヘッドの軌跡の説明図である。
【００３７】
まず、ボンベ２を載置台１１に載置し、ボンベ２の上部を固定手段１２によって固定する。
【００３８】
そして、図７を参照して、Ｘ方向モータ８２、Ｙ方向モータ７２、Ｚ方向モータ９２を回転駆動して、キャリッジ１４をＸ，Ｙ、Ｚ方向に移動させ、ヘッド３００を所定の描画開始位置（印刷開始位置：書き出し位置）に移動させる（ステップＳ１、以下、単に「Ｓ１」というように表記する。）。
【００３９】
ここでは、ボンベ２の上方から下方に向けて印刷（描画）するものとし、ヘッド３００はＹ方向の上部位置をホーム位置とし、ホーム位置から載置されたボンベ２の描画開始位置にヘッド３００を移動する。
【００４０】
その後、ヘッド３００のＹ方向下向きへの移動を開始し（Ｓ２）、ヘッド３００から液体の吐出動作を開始して（Ｓ３）、所定の描画を行い、ヘッド３００のＹ方向下向きへの移動を停止する（Ｓ４）。
【００４１】
ここで、描画終了（印刷終了）か否かを判別する（Ｓ５）。
【００４２】
そして、描画終了でなければ、１つの分割印刷領域の描画が終了したか否かを判別する（Ｓ６）。
【００４３】
このとき、１つの分割印刷領域の描画が終了していなければ、ヘッド３００をＸ方向に所定距離（例えば３．２ｍｍ）移動させ（Ｓ７）、ヘッド３００のＹ方向上向きへの移動を開始し（Ｓ８），所定移動量を移動したときにヘッド３００のＹ方向上向きへの移動を停止する（Ｓ９）。その後、ステップＳ２に戻り、次の行（ライン）についての描画を行う。
【００４４】
これに対し、１つの分割印刷領域の描画が終了したときには、載置台１１を回転して、次の分割印刷領域を印刷可能な位置にする（Ｓ１０）。その後、ステップＳ１に戻り、描画開始位置にして印刷を続行する。
【００４５】
そして、ステップＳ５で描画終了になれば、描画動作を終了する。
【００４６】
このように、本実施形態では、図８（ａ）の軌跡ａで示すように、ヘッド３００を、Ｙ方向において、所定の片方向（一方向）に移動させるときにヘッド３００から液体を吐出して印刷を行う片方向印刷を行っている。この片方向印刷では、所定の片方向（一方向）と反対の方向に移動するときにはヘッド３００から液体を吐出させない。
【００４７】
このような片方向印刷を行うことで、ヘッド３００から吐出した液体に対して重力方向（Ｙ方向下向き）にかかる力の影響を画質に与えないようにすることができる。
【００４８】
これに対し、双方向印刷を行うときには、図８（ｂ）に軌跡ｂで示すように、ヘッド３００をＹ方向に上から下に移動しながら液体を吐出させてボンベ２の周面に所要の印刷を行う。Ｙ方向の上から下へのスキャンが終了したときに、ヘッド３００をＸ方向に所定距離移動させ、ヘッド３００をＹ方向に下から上に向けて移動しながら印刷を行う。
【００４９】
この双方向印刷を行うことで、生産性を向上することができる。
【００５０】
このように、液体吐出手段としてのヘッド３００は、載置台１１に載置される柱状部材の上下方向を第１方向Ｙとするとき、第１方向Ｙ、及び、第１方向Ｙと直交する面内で、柱状部材の接線方向に沿う第２方向Ｘにそれぞれ往復移動可能に配置されている
【００５１】
これにより、柱状部材が回転しない状態で柱状部材の周面に液体を吐出して印刷（描画）を行うことができるので、柱状部材を回転しながら印刷する場合のように、柱状部材の周面と液体吐出手段との著しい距離変動が生じることがなく、高い画像品質で印刷することができる。
【００５２】
また、本実施形態においては、柱状部材であるボンベ２の上部を固定手段１２で固定する構成としている。これにより、載置台１１に載置されたボンベ２の姿勢を固定したまま印刷をおこなうことができ、より安定して高画質画像を印刷できる。
【００５３】
この場合、本実施形態では、ボンベ２を回転させながら液体を吐出する構成ではないので、ボンベ２の姿勢が安定しているのであれば、特に上部を固定する必要ない。また、例えば、ボンベ２の姿勢を維持する姿勢維持手段としては、上部を固定する固定手段に限らない。例えば、ボンベ２が磁力で吸着できる材質であれば載置台１１に電磁石を配置する構成としたり、あるいは、吸引吸着できるときには載置台１１に吸引手段を設ける構成としたりすることもできる。
【００５４】
なお、ここでは、液体を吐出する装置で印刷する柱状部材としてボンベを例にして説明したが、ボンベ以外の柱状部材、また、円筒状部材以外の柱状部材、例えば角柱部材などにも印刷することができる。
【００５５】
次に、第１実施形態における吐出ユニットの一例について図９ないし図１１を参照して説明する。図９は同吐出ユニットの斜視説明図、図１０は同じく側面説明図、図１１は同じくヘッド部の正面説明図である。
【００５６】
吐出ユニット１３は、液体を吐出するヘッド部（液体吐出部）３０を有し、ヘッド部３０には、吐出面であるノズル面３０２ａを払拭する払拭部材２０１を含むクリーニング機構部２００を一体に備えている。
【００５７】
ヘッド部３０は、異なる色の液体を吐出する複数（ここでは、３つ）のヘッド３００（３００Ａ〜３００Ｃ）がホルダ部材３１に保持されている。ヘッド３００は、液体を吐出する複数のノズル３０２が配列され、ノズル３０２の配列方向をＹ方向に対して傾斜させて筐体となるホルダ部材３１に保持している。
【００５８】
クリーニング機構部２００は、ヘッド３００のノズル面３０２ａを払拭する払拭部材２０１と、ヘッド３００のノズル面３０２ａに洗浄液２２０（後述）を吐出又は滴下して付与する洗浄液付与手段である洗浄液吐出部２０２とを備えている。
【００５９】
これらの払拭部材２０１及び洗浄液吐出部２０２は、移動部材２０５に取付けられて保持されている。
【００６０】
一方、ヘッド部３０のホルダ部材３１の両側には、ガイド溝２０６ａを有するガイド部材２０６、２０６が取付けられている。ガイド部材２０６のガイド溝２０６ａには移動部材２０５の支軸２０５ａが移動可能に嵌合している。つまり、ホルダ部材３１は、ヘッド３００を保持し、移動部材２０５を移動可能に支持する筐体となっている。
【００６１】
これにより、移動部材２０５は、ガイド溝２０６ａに倣って、払拭部材２０１がヘッド３００のノズル面３０２ａに対向する位置とノズル面３０２ａから退避する位置との間で移動可能である。
【００６２】
そして、移動部材２０５を移動させる駆動手段としてのロータリエアーシリンダ２１０を備えている。ロータリエアーシリンダ２１０に一端部を取り付けたアーム２１１の他端部に設けた長穴２１１ａと移動部材２０５の側面に設けたピン部材２０５ｂとを移動可能に嵌合している。なお、駆動手段はキャリッジ１４側に取付け、吐出ユニット１３はキャリッジ１４側から駆動力を伝達される構成とすることもできる。
【００６３】
これにより、ロータリエアーシリンダ２１０を駆動してアーム２１１を図９で矢印Ａ方向に回動することで、移動部材２０５がガイド部材２０６のガイド溝２０６ａに案内され、図１０に仮想線で示す退避位置から実線で示す対向する位置でもある払拭終了位置まで矢印Ｂで示すように移動する。この移動部材２０５の移動によって、払拭部材２０１でヘッド３００のノズル面３０２ａを払拭することができる。
【００６４】
このように、吐出ユニット１３は、液体を吐出する液体吐出部であるヘッド部３０とヘッド部３０のヘッド３００のノズル面３０２ａを払拭清掃するクリーニング機構部２００を一体に備えている。
【００６５】
これにより、吐出ユニット１３がいずれの位置にあっても、液体を吐出していないときであれば、ヘッド３００のノズル面３０２ａを払拭して清浄化することができ、必要なときに吐出面（ノズル面）を随時クリーニングできる。
【００６６】
次に、クリーニング機構部２００に対する洗浄液供給系及びクリーニング動作の制御系について図１２を参照して説明する。図１２は同説明に供する説明図である。
【００６７】
洗浄液２２０を貯留した洗浄液貯留手段である洗浄液タンク２２１を備えている。洗浄液タンク２２１は、エアーレギュレータ２３２を含む経路２３１を介してコンプレッサ２３０と接続され、コンプレッサ２３０からの加圧空気が供給される。
【００６８】
また、洗浄液タンク２２１は、経路２３３を介して洗浄液吐出部２０２と接続され、経路２３２には開閉弁２３４が設けられている。
【００６９】
一方、ロータリエアーシリンダ２１０は、エアーレギュレータ２４２を含む経路２４１を介してコンプレッサ２３０と接続され、コンプレッサ２３０からの加圧空気が供給される。経路２４１には開閉弁２４４が設けられている。
【００７０】
前述した制御部５００のクリーニング制御部５１４は、クリーニング機構部２００の払拭部材２０１によってヘッド３００のノズル面３０２ａを払拭するときには、開閉弁２４４を開閉制御して、ロータリエアーシリンダ２１０を駆動し、前述したように、移動部材２０５を退避位置から払拭終了位置まで移動させる。
【００７１】
このとき、開閉弁２３４を開閉制御して、必要に応じて、あるいは、常時、洗浄液吐出部２０２から洗浄液２２０を吐出させてヘッド３００のノズル面３０２ａに洗浄液を付与し、払拭部材２０１を濡らしながら払拭する。
【００７２】
この制御部５００による払拭動作の制御タイミングは、例えば、吐出ユニット１３（ヘッド３００）をホーム位置に戻すとき、片方向印刷を行う場合に吐出ユニット１３をＸ方向に移動させるときなど、ヘッド３００から液体を吐出していない任意のタイミングで行うことができる。
【００７３】
なお、払拭動作をおこなうときには、吐出ユニット１３をＺ方向に移動させて、ヘッド３００とボンベ２との間に移動部材２０５が入れる空間を確保する。
【００７４】
次に、第１実施形態におけるヘッドの一例について図１３を参照して説明する。図１３は同ヘッドの１つのノズル部分の断面説明図である。なお、図１３（ａ）はノズルが閉じている状態、（ｂ）はノズルが開いている状態をそれぞれ示している。
【００７５】
ヘッド３００は、先端部に液体を吐出するノズル３０２が設けられ、ノズル３０２の近傍に液体が注入される注入口３０３が設けられた中空状のハウジング３０４を備えている。
【００７６】
ハウジング３０４内には、外部からの電圧の印加に応じて伸縮する圧電素子３０５と、ノズル３０２を開閉する弁体３０７と、弁体３０７と圧電素子３０５との間に配置され、弁体３０７をノズル３０２に対して進退させる弁体移動手段３０８とが配置されている。
【００７７】
圧電素子３０５はケース３１５内に収容され、電圧印加用の一対の配線部材３１０ａ，３１０ｂが接続されて外部に引き出されている。
【００７８】
弁体３０７とハウジング３０４との間には、注入口３０３から注入される加圧液体の圧電素子３０５側への侵入を阻止する封止部材３０６が配置されている。これにより、注入口３０３から加圧液体が注入される液室３０９が形成される。
【００７９】
ハウジング３０４は、円筒状、角筒状などの筒状体であり、ノズル３０２及び注入口３０３以外は閉じられている。ノズル３０２は、ハウジング３０４の先端部に開けられた開口であり、液体３１１を吐出する。注入口３０３は、ノズル３０２の近傍のハウジング３０４の側面に設けられ、加圧された液体が連続的に供給される。
【００８０】
圧電素子３０５は、ジルコニアセラミックス等を用いて形成されている。圧電素子３０５には、配線部材３１０ａ、３１０ｂを介して駆動波形（駆動電圧）が与えられる。
【００８１】
封止部材３０６は、例えばパッキン、Ｏリング等であり、封止部材３０６を弁体３０７に外嵌することで、注入口３０３側から圧電素子３０５側へ液体が流入することを防止している。
【００８２】
弁体移動手段３０８は、ゴム、軟質樹脂、薄い金属板等で形成された復元可能に変形可能な弾性部材で形成された断面略台形状の変形部３０８ａを有する。変形部３０８ａの断面略台形状の上辺に相当する連結部３０８ｅは弁体３０７の基端側の面に固定されている。変形部３０８ａの断面略台形状の底辺に相当する長辺側は屈曲辺部３０８ｄと連結されている。屈曲辺部３０８ｄは、径方向中央部がガイド部３０８ｃと連結され、径方向中央部と端部との間が、一端がケース３１５に連結された固定部３１２と連結されている。
【００８３】
この弁体移動手段３０８は、圧電素子３０５に所定の電圧が印加されて圧電素子３０５が伸張することにより、図１３（ｂ）に示すように、ガイド部３０８ｃがノズル３０２側へ例えば距離ｅだけ移動し、屈曲辺部３０８ｄの中央部付近が押し込まれる。
【００８４】
このとき、屈曲辺部３０８ｄは、ガイド部３０８ｃの外周側が固定部３１２に連結されているので、固定部３１２との連結部と起点として矢印方向に変位する。屈曲辺部３０８ｄが矢印方向に変位することで、変形部３０８ａは拡開するので、弁体３０７との連結部３０８ｅが矢印方向に引き込まれる。
【００８５】
この弁体移動手段３０８の変形部３０８ａの変形により、変形部３０８ａの連結部３０８ｅに固定された弁体３０７が距離ｄだけ引き込まれて、ノズル３０２が開かれる。
【００８６】
つまり、圧電素子３０５の伸張によってガイド部３０８ｃがノズル３０２側へ距離ｅだけ移動することで、弁体３０７はガイド部３０８の移動方向（圧電素子３０５の伸長方向）と逆方向に距離でだけ移動する。
【００８７】
ここで、弁体移動手段３０８の変形部３０８ａにおける弁体３０７との連結部３０８ｅと屈曲辺部３０８ｄとの距離や屈曲辺部３０８ｄの長さを調整することにより、弁体３０７の移動量を圧電素子３０５の変位量よりも長くすることができる。
【００８８】
つまり、弁体移動手段３０８は圧電素子３０５の変位量を増幅することができ、圧電素子３０５の変位量を少なくすることができるため、圧電素子３０５を小型化することができる。
【００８９】
次に、ヘッド３００の動作について図１４も参照して説明する。図１４は同動作説明に供する駆動電圧の一例の説明図である。
【００９０】
ヘッド３００は、圧電素子３０５に電圧が印加されていない状態においては、圧電素子３０５は収縮状態にあるので、弁体移動手段３０８には圧電素子３０５による力が加わらない状態にある。このとき、弁体移動手段３０８の変形部３０８ａは、図１４（ａ）に示すように、膨らんだ状態（通常状態）になっており、弁体３０７は変形部３０８ａの弾性力によってノズル３０２方向に付勢されている。したがって、ノズル３０２は弁体３０７の端面によって閉じられており、ノズル３０２から液体３１１が吐出されることはない。
【００９１】
ここで、圧電素子３０５に対し、図１４（ａ）に示すように、波形Ｐ１の電圧（＋ＥＶ）を印加することで、圧電素子３０５が伸長し、前述したように、弁体移動手段３０８の変形部３０８ａが変形して、弁体３０７を図１３（ｂ）に示す矢印方向に引き込む。これにより、弁体３０７がノズル３０２を開くので、注入口３０３から注入されている加圧液体がノズル３０２から吐出される。
【００９２】
一方、図１４（ｂ）に示すように、圧電素子３０５に対する波形Ｐ２の電圧（＋ＥＶ）が途中で消失した波形Ｐ２が印加されたり、また、図１４（ｃ）に示すように印加されるべき波形の電圧が停電等によって圧電素子３０５に印加されなかったりすることがある。
【００９３】
このとき、圧電素子３０５は収縮した状態を保持するので、弁体移動手段３０８の変形部３０８ａは図１３（ａ）に示す通常状態に戻っている。したがって、弁体３０７はノズル３０２を閉じた状態を維持するので、液体３１１がノズル３０２から吐出されることはない。
【００９４】
これにより、停電等の場合であっても、液体３１１がノズル３０２から不用意に漏れ出したり、ノズル詰まりを生じたりすることを低減できる。
【００９５】
次に、ヘッド３００に対する液体供給系について図１５を参照して説明する。図１５は同液体供給系の説明図である。
【００９６】
ここでは、各ヘッド３００（３００Ａ〜３００Ｃ）から吐出する各色の液体３１１が収容された密閉容器としての液体タンク３３０（３３０Ａ〜３３０Ｃ）を備えている。液体タンク３３０とヘッド３００の注入口３０３とはそれぞれチューブ３３３を介して接続されている。
【００９７】
一方、液体タンク３３０は、エアーレギュレータ３３２を含むパイプ３３１を介してコンプレッサ３４０と接続され、コンプレッサ３４０からの加圧空気が供給される。
【００９８】
これにより、各ヘッド３００の注入口３０３には各色の加圧された液体３１１が供給され、前述したように、弁体３０７の開閉に応じてノズル３０２から液体３１１が吐出される。
【００９９】
次に、本発明の第２実施形態について図１６を参照して説明する。図１６は同実施形態における吐出ユニットの説明に供する斜視説明図である。
【０１００】
本実施形態では、ヘッド３００は、複数のノズル３０２を配列した複数（ここでは、６つ）のノズル列３０２Ａを有するものを使用している。
【０１０１】
そして、クリーニング機構部２００は、払拭を行うときに落下する余剰の洗浄液２２０を受ける洗浄液受け２６１を備えている。この洗浄液受け２６１には廃液チューブ２６２が接続されており、回収された廃液は廃液タンクなどに排出される。
【０１０２】
なお、上記各実施形態では、液体吐出手段とクリーニング機構部を一体化したものを使用している例で説明しているが、クリーニング機構部を一体に備えない液体吐出手段、例えば前記第１実施形態の液体吐出部だけのものを使用することもできる。
【０１０３】
また、上記各実施形態では、液体を吐出する装置で印刷する柱状部材としてボンベを例にして説明したが、ボンベ以外の柱状部材、また、円筒状部材以外の柱状部材、例えば角柱部材などにも印刷することができる。
【符号の説明】
【０１０４】
１  液体を吐出する装置
２  ボンベ（柱状部材）
１０  基台
１１  載置台
１２  固定手段
１３  吐出ユニット
１４  キャリッジ
１５  フレーム部材
１６  スライダ部材
２００  クリーニング機構部
２０１  払拭部材
２０２  洗浄液吐出部
３００  ヘッド
３０２  ノズル
３０５  圧電素子
３０７  弁体
５００  制御部
【図１】
2020168785.tif 000003
【図２】
2020168785.tif 000004
【図３】
2020168785.tif 000005
【図４】
2020168785.tif 000006
【図５】
2020168785.tif 000007
【図６】
2020168785.tif 000008
【図７】
2020168785.tif 000009
【図８】
2020168785.tif 000010
【図９】
2020168785.tif 000011
【図１０】
2020168785.tif 000012
【図１１】
2020168785.tif 000013
【図１２】
2020168785.tif 000014
【図１３】
2020168785.tif 000015
【図１４】
2020168785.tif 000016
【図１５】
2020168785.tif 000017
【図１６】
2020168785.tif 000018